(57)【要約】【課題】外装筐体の内部温度に応じて、ユーザの視聴の選択自由度を拡大する画像表示装置を提供すること。【解決手段】本発明のリアプロジェクタは、光学エンジンと、光源ランプを冷却する冷却ファンと、制御基板とを備え、制御基板は、光学エンジン近傍の内部温度Ｔを取得する内部温度取得部と、内部温度Ｔに基づいて光源ランプ近傍が高温状態にあるか否かを判定する内部温度判定部と、光源ランプ近傍が高温状態にあると判定された際に、高温状態を告知するとともに視聴を継続するか否かの選択を促す視聴継続選択画面を光学エンジンに表示させる視聴継続選択画面表示部と、視聴継続選択画面で視聴の継続が選択されると、冷却ファンを強冷却モードで駆動させる強冷却モード実行部とを備えている。【選択図】図４
2007304471.tif 000002
【特許請求の範囲】
【請求項１】
入力する画像情報に基づく画像を表示する画像表示手段と、前記画像表示手段を冷却する冷却手段と、前記画像表示手段および前記冷却手段を駆動制御する制御手段と、これらを内部に収納する外装筐体とを備えた画像表示装置であって、
前記制御手段は、
前記外装筐体の内部温度を取得する内部温度取得部と、
前記内部温度取得部で取得された内部温度に基づいて、前記外装筐体内部が高温状態にあるか否かを判定する内部温度判定部と、
前記内部温度判定部で前記外装筐体内部が高温状態にあると判定された際に、前記外装筐体内部の高温状態を告知するとともに視聴を継続するか否かの選択を促す視聴継続選択画面を前記画像表示手段に表示させる視聴継続選択画面表示部と、
前記視聴継続選択画面で視聴の継続が選択されると、前記冷却手段を強冷却モードで駆動させる強冷却モード実行部とを備えていることを特徴とする画像表示装置。
【請求項２】
請求項１に記載の画像表示装置において、
前記制御手段は、
前記内部温度判定部で前記外装筐体内部が高温状態にあると判定された際に、前記強冷却モード実行部が強冷却モードを実行中であるか否かを判定する実行中冷却モード判定部と、
前記実行中冷却モード判定部で強冷却モードが実行中であると判定された際に、前記画像表示装置の電源を遮断する電源遮断部とを備えていることを特徴とする画像表示装置。
【請求項３】
入力する画像情報に基づく画像を表示する画像表示手段と、前記画像表示手段を冷却する冷却手段と、前記画像表示手段および前記冷却手段を駆動制御する制御手段と、これらを内部に収納する外装筐体とを備えた画像表示装置の冷却制御方法であって、
前記制御手段は、
前記外装筐体の内部温度を取得する内部温度取得ステップと、
前記内部温度取得ステップで取得された内部温度に基づいて、前記外装筐体内部が高温状態にあるか否かを判定する内部温度判定ステップと、
前記内部温度判定ステップで前記外装筐体内部が高温状態にあると判定された際に、前記外装筐体内部の高温状態を告知するとともに視聴を継続するか否かの選択を促す視聴継続選択画面を前記画像表示手段に表示させる視聴継続選択画面表示ステップと、
前記視聴継続選択画面で視聴の継続が選択されると、前記冷却手段を強冷却モードで駆動させる強冷却モード実行ステップとを実行することを特徴とする画像表示装置の冷却制御方法。
【請求項４】
入力する画像情報に基づく画像を表示する画像表示手段と、前記画像表示手段を冷却する冷却手段と、前記画像表示手段および前記冷却手段を駆動制御する制御手段と、これらを内部に収納する外装筐体とを備えた画像表示装置を冷却制御するコンピュータ読取可能な冷却制御プログラムであって、
前記制御手段に、
前記外装筐体の内部温度を取得する内部温度取得ステップと、
前記内部温度取得ステップで取得された内部温度に基づいて、前記外装筐体内部が高温状態にあるか否かを判定する内部温度判定ステップと、
前記内部温度判定ステップで前記外装筐体内部が高温状態にあると判定された際に、前記外装筐体内部の高温状態を告知するとともに視聴を継続するか否かの選択を促す視聴継続選択画面を前記画像表示手段に表示させる視聴継続選択画面表示ステップと、
前記視聴継続選択画面で視聴の継続が選択されると、前記冷却手段を強冷却モードで駆動させる強冷却モード実行ステップとを実行させることを特徴とする冷却制御プログラム。
【請求項５】
請求項４に記載の冷却制御プログラムがコンピュータ読取可能に記録されたことを特徴とする記録媒体。
【発明の詳細な説明】
【技術分野】
【０００１】
本発明は、画像表示装置、画像表示装置の冷却制御方法、冷却制御プログラム、および、記録媒体に関する。
【背景技術】
【０００２】
従来、画像表示装置として、光源ランプと、光源ランプから射出された光束を画像情報に応じて変調して光学像を形成する液晶パネルと、液晶パネルで形成された光学像を投射画像としてスクリーン上に投射するリアプロジェクタが知られている。
このようなリアプロジェクタでは、動作中に光源ランプや液晶パネルで熱が発生する。すると、発生した熱によってリアプロジェクタの外装筐体内が高温状態となり、リアプロジェクタの動作不具合を引き起こす恐れがある。
これに対し、光源ランプや液晶パネルを空冷する冷却ファンを備えたプロジェクタが知られている（例えば、特許文献１参照）。特許文献１に記載のプロジェクタは、冷却ファンの駆動によって、外装筐体に形成された吸気口を介して冷却空気が取り込まれ、当該冷却空気が光源ランプに送風される。この吸気口には、外装筐体内部への粉塵の侵入を防止するために吸気フィルタが設けられている。
【０００３】
しかしながら、リアプロジェクタを長年利用していると、吸気口に設けられた吸気フィルタに粉塵が溜まり、フィルタが目詰まりすることがある。フィルタが目詰まりすると、冷却ファンによる冷却空気の取り込みが妨害されるため、冷却効率が低下し、外装筐体の内部温度が急激に上昇する恐れがある。
【０００４】
このような問題に対し、従来、外装筐体の内部温度が所定温度以上となると、電源を遮断して、フィルタの清掃または交換をユーザに告知するフィルタ清掃・交換ランプを点灯するリアプロジェクタが知られている。また、フィルタ清掃または交換をユーザに告知する警告メッセージをスクリーン上に表示した後に、電源を遮断するリアプロジェクタなども知られている。
【０００５】
【特許文献１】特開２０００−１２２０２４号公報
【発明の開示】
【発明が解決しようとする課題】
【０００６】
前述したように、従来のプロジェクタは、外装筐体の内部温度が所定温度以上となると、ユーザにフィルタ清掃または交換を告知して電源を遮断してしまう。しかしながら、フィルタの清掃および交換には手間と時間を要する。従って、ユーザが視聴したい番組が放映されていても、フィルタの清掃・交換作業を行い、リアプロジェクタを電源投入可能な状態とするまで、ユーザはその番組を視聴することができない。このため、ユーザが視聴したい番組を見逃してしまうという恐れがある。
【０００７】
本発明の目的は、外装筐体の内部温度に応じて、ユーザの視聴の選択自由度を拡大する画像表示装置、画像表示装置の冷却制御方法、冷却制御プログラム、および、記録媒体を提供することである。
【課題を解決するための手段】
【０００８】
前記した目的を達するために、本発明の画像表示装置は、入力する画像情報に基づく画像を表示する画像表示手段と、前記画像表示手段を冷却する冷却手段と、前記画像表示手段および前記冷却手段を駆動制御する制御手段と、これらを内部に収納する外装筐体とを備えた画像表示装置であって、前記制御手段は、前記外装筐体の内部温度を取得する内部温度取得部と、前記内部温度取得部で取得された内部温度に基づいて、前記外装筐体内部が高温状態にあるか否かを判定する内部温度判定部と、前記内部温度判定部で前記外装筐体内部が高温状態にあると判定された際に、前記外装筐体内部の高温状態を告知するとともに視聴を継続するか否かの選択を促す視聴継続選択画面を前記画像表示手段に表示させる視聴継続選択画面表示部と、前記視聴継続選択画面で視聴の継続が選択されると、前記冷却手段を強冷却モードで駆動させる強冷却モード実行部とを備えることを特徴とする。
【０００９】
ここで、画像表示装置として、例えば、フロントプロジェクタ、リアプロジェクタ、プラズマディスプレイ、液晶ディスプレイ、ＣＲＴ（Cathode Ray Tube）ディスプレイ等が挙げられる。
また、冷却手段として、例えば、冷却空気を冷却対象に送風して冷却する冷却ファンや、冷却液体が流通するパイプを冷却対象近傍に配置することで冷却対象を冷却する液冷手段等が挙げられる。
【００１０】
本発明によれば、吸気フィルタの目詰まり等によって、画像表示装置の外装筐体の内部温度が上昇し、これを内部温度判定部が高温状態と判定すると、視聴継続選択画面表示部が視聴継続選択画面を表示し、視聴を続行するか否かの選択をユーザに促す。すなわち、外装筐体内が高温状態になっても、画像表示装置の電源を強制的に遮断せず、視聴を続行するか、電源を遮断するかの判断をユーザに委ねることができる。従って、ユーザが視聴したい番組を見逃してしまうことはない。
さらに、ユーザが視聴続行を選択した場合、強冷却モード実行部が冷却手段を強冷却モードで駆動させるため、冷却手段の冷却能力が一時的に増強される。従って、ユーザが番組を視聴し終えるまでの間、強冷却モードで駆動する冷却手段によって、外装筐体内の内部温度がこれ以上上昇することを極力抑制することができる。
【００１１】
本発明では、前記制御手段は、前記内部温度判定部で前記外装筐体内部が高温状態にあると判定された際に、前記強冷却モード実行部が強冷却モードを実行中であるか否かを判定する実行中冷却モード判定部と、前記実行中冷却モード判定部で強冷却モードが実行中であると判定された際に、前記画像表示装置の電源を遮断する電源遮断部とを備えていることが好ましい。
【００１２】
ここで、一度、内部温度判定部により外装筐体内部が高温状態と判定され、さらに、視聴継続選択画面上で視聴の続行が選択されたことで、強冷却モード実行部が冷却手段を強冷却モードで駆動させている場合を考える。
このとき、再度、内部温度判定部により外装筐体内部が高温状態と判定されると、本発明によれば、実行中冷却モード判定部が強冷却モードを実行中であるか否かを判定する。そして、実行中冷却モード判定部により強冷却モードを実行中であると判定されると、電源遮断部が画像表示装置の電源を遮断する。
すなわち、冷却手段が強冷却モードで駆動している状態で外装筐体内の内部温度が上昇し高温状態となった場合は、視聴の続行をユーザに確認せずに電源を遮断する。従って、最大冷却能力で冷却しても外装筐体の内部温度の上昇を抑制できない場合、速やかに電源を遮断することで、外装筐体内の高温状態によって、画像表示装置の動作不具合を防止することができる。
【００１３】
本発明の冷却制御方法は、入力する画像情報に基づく画像を表示する画像表示手段と、前記画像表示手段を冷却する冷却手段と、前記画像表示手段および前記冷却手段を駆動制御する制御手段と、これらを内部に収納する外装筐体とを備えた画像表示装置の冷却制御方法であって、前記制御手段は、前記外装筐体の内部温度を取得する内部温度取得ステップと、前記内部温度取得ステップで取得された内部温度に基づいて、前記外装筐体内部が高温状態にあるか否かを判定する内部温度判定ステップと、前記内部温度判定ステップで前記外装筐体内部が高温状態にあると判定された際に、前記外装筐体内部の高温状態を告知するとともに視聴を継続するか否かの選択を促す視聴継続選択画面を前記画像表示手段に表示させる視聴継続選択画面表示ステップと、前記視聴継続選択画面で視聴の継続が選択されると、前記冷却手段を強冷却モードで駆動させる強冷却モード実行ステップとを実行することを特徴とする。
【００１４】
本発明によれば、前述した画像表示装置の作用および効果と同様の作用および効果を享受することができる。さらに、本発明を冷却制御方法として構成したので、任意の画像表示装置で実行されることができる。つまり、本発明の冷却制御方法を用いて画像表示装置の冷却処理を行うことにより、前述した本発明の画像表示装置の作用および効果を享受することができるので、汎用性を拡大することができる。
【００１５】
また、本発明は、前記冷却制御方法の発明を画像表示装置の制御手段上で実行させる冷却制御プログラムとしても構成することができる。
本発明によれば、前述した本発明の冷却制御方法をプログラムとして構成することにより、任意の画像表示装置を、前述した作用および効果を享受できる画像表示装置とすることができるので、汎用性を拡大することができる。
【００１６】
本発明の記録媒体は、前記冷却制御プログラムがコンピュータ読取可能に記録されていることを特徴とする。
ここで、記録媒体として、ＦＲＯＭ（Flash Read Only Memory）等の半導体メモリ、ＤＡＴ（Digital Audio Tape）等の磁気テープ、ＦＤ（Flexible Disc）等の磁気ディスク、ＣＤ（Compact Disc）およびＤＶＤ（Digital Versatile Disc）等の光ディスク等が挙げられる。
本発明によれば、記録媒体にコンピュータ読取可能に記録された前記冷却制御プログラムを、任意の画像表示装置に内蔵された制御手段が実行することで、前述した作用および効果を享受できる。
【発明を実施するための最良の形態】
【００１７】
図を用いて、本発明の一実施形態を説明する。本実施形態では、画像表示装置としてリアプロジェクタ１を採用する。
リアプロジェクタ１は、光源ランプ２１１から射出された光束を画像情報に応じて変調して光学像を形成し、当該光学像をスクリーンに投射する光学機器である。
リアプロジェクタ１は、画像情報に応じた光学像の形成、および、光学像の投射を行う画像表示手段としての光学エンジン２と、光学エンジン２から投射された投射画像が投影されるスクリーン（図示略）等を備えている。
【００１８】
〔光学エンジン２の構成〕
図１は、光学エンジン２の光学系の構成を示す模式平面図である。
光学エンジン２は、光源装置２１と、インテグレータ照明光学系２２と、色分離光学系２３と、リレー光学系２４と、光学装置２５と、投射レンズ２６と、これらを内部に収納する光学部品用筐体（図示略）と、投射レンズ２６を保持固定するヘッド体（図示省略）とを備えて構成されている。
【００１９】
光源装置２１は、高圧放電ランプからなる光源ランプ２１１と、リフレクタ２１２と、防爆ガラス２１３と、これらを内部に収納するランプハウジング（図示略）とを備えて構成されている。そして、この光源装置２１は、光源ランプ２１１から射出された放射状の光線をリフレクタ２１２で反射して平行光線とし、この平行光線を、防爆ガラス２１３を介して外部へと射出する。
【００２０】
このうち、光源ランプ２１１は、ガラスから成る放電管と、放電管内に対向して配置された陽極電極および陰極電極とを備えている。放電管には、水銀および希ガス等が封入されている。両電極は、高融点金属棒から成り、それぞれ導通を得るためのタングステン棒およびリード線等が接続されている。
本実施形態では、高圧水銀ランプを採用しているが、メタルハライドランプやハロゲンランプ等を採用することもできる。
また、リフレクタ２１２としては、放物面鏡を採用しているが、放物面鏡の代わりに、平行化凹レンズおよび楕円面鏡を組み合わせたものを採用してもよい。
防爆ガラス２１３は、リフレクタ２１２の開口部分を閉塞する透光性のガラス部材であり、光源ランプ２１１が破裂した場合に、当該光源ランプ２１１の破片が外部に飛散しないように構成されている。
【００２１】
インテグレータ照明光学系２２は、光学装置２５を構成する後述する３つの液晶パネル２５１の画像形成領域をほぼ均一に照明するための光学系である。このインテグレータ照明光学系２２は、第１レンズアレイ２２１と、第２レンズアレイ２２２と、偏光変換素子２２３と、重畳レンズ２２４とを備えている。
【００２２】
第１レンズアレイ２２１は、入射光軸方向から見てほぼ矩形状の輪郭を有する小レンズがマトリクス状に配列された構成を有し、各小レンズは、光源装置２１から射出された光束を複数の部分光束に分割している。
第２レンズアレイ２２２は、第１レンズアレイ２２１と略同様な構成を有しており、小レンズがマトリクス状に配列された構成を有している。この第２レンズアレイ２２２は、重畳レンズ２２４とともに、第１レンズアレイ２２１の各小レンズの像を後述する液晶パネル２５１上に結像させる機能を有する。
偏光変換素子２２３は、第２レンズアレイ２２２と重畳レンズ２２４との間に配設される。このような偏光変換素子２２３は、第２レンズアレイ２２２からの光を略１種類の直線偏光に変換するものであり、これにより、光学装置２５での光の利用効率が高められている。
【００２３】
具体的に、偏光変換素子２２３によって略１種類の直線偏光に変換された各部分光は、重畳レンズ２２４によって最終的に光学装置２５の後述する液晶パネル２５１上にほぼ重畳される。偏光光を変調するタイプの液晶パネル２５１を用いたリアプロジェクタ１では、１種類の直線偏光しか利用できないため、他種類のランダムな偏光光を発する光源ランプ２１１からの光のほぼ半分が利用されない。そこで、偏光変換素子２２３を用いることにより、光源ランプ２１１から射出された光束を略１種類の直線偏光に変換し、光学装置２５での光の利用効率を高めている。
【００２４】
色分離光学系２３は、２枚のダイクロイックミラー２３１，２３２と、反射ミラー２３３とを備え、ダイクロイックミラー２３１，２３２により、インテグレータ照明光学系２２から射出された複数の部分光束を赤（Ｒ）、緑（Ｇ）、青（Ｂ）の３色の色光に分離する機能を有している。
リレー光学系２４は、入射側レンズ２４１と、リレーレンズ２４３と、反射ミラー２４２，２４４とを備え、色分離光学系２３で分離された色光である赤色光を光学装置２５の後述する赤色光用の液晶パネル２５１Ｒまで導く機能を有している。
【００２５】
この際、色分離光学系２３のダイクロイックミラー２３１では、インテグレータ照明光学系２２から射出された光束の赤色光成分と緑色光成分とが透過するとともに、青色光成分が反射する。ダイクロイックミラー２３１によって反射した青色光は、反射ミラー２３３で反射し、フィールドレンズ２５５を通って、光学装置２５の後述する青色光用の液晶パネル２５１Ｂに到達する。このフィールドレンズ２５５は、第２レンズアレイ２２２から射出された各部分光束をその中心軸（主光線）に対して平行な光束に変換する。他の緑色光用、赤色光用の光変調装置の光束入射側に設けられたフィールドレンズ２５５も同様である。
【００２６】
また、ダイクロイックミラー２３１を透過した赤色光と緑色光のうちで、緑色光は、ダイクロイックミラー２３２によって反射し、フィールドレンズ２５５を通って、緑色光用の液晶パネル２５１Ｇに到達する。一方、赤色光は、ダイクロイックミラー２３２を透過してリレー光学系２４を通り、さらにフィールドレンズ２５５を通って、赤色光用の液晶パネル２５１Ｒに到達する。
【００２７】
なお、赤色光にリレー光学系２４が用いられているのは、赤色光の光路の長さが他の色
光の光路の長さよりも長いため、光の発散等による光の利用効率の低下を防止するためである。すなわち、入射側レンズ２４１に入射した部分光束をそのまま、フィールドレンズ２５５に伝えるためである。なお、リレー光学系２４には、３つの色光のうち赤色光を通す構成としたが、これに限らず、例えば、青色光、緑色光を通す構成としてもよい。
【００２８】
光学装置２５は、入射された光束を画像情報に応じて変調してカラー画像を形成するものである。光学装置２５は、色分離光学系２３で分離された各色光が入射される３つの入射側偏光板２５２と、各入射側偏光板２５２の光路後段に配置される３つの液晶パネル２５１（赤色光用の液晶パネルを２５１Ｒ、緑色光用の液晶パネルを２５１Ｇ、青色光用の液晶パネルを２５１Ｂとする）と、各液晶パネル２５１の光路後段に配置される３つの射出側偏光板２５３と、クロスダイクロイックプリズム２５４とを備える。
【００２９】
入射側偏光板２５２は、偏光変換素子２２３で偏光方向が略一方向に揃えられた各色光が入射され、入射された光束のうち、偏光変換素子２２３で揃えられた光束の偏光軸と略同一方向の偏光光のみ透過させ、その他の光束を吸収するものである。この入射側偏光板２５２は、例えば、サファイアガラスまたは水晶等の透光性基板上に偏光膜が貼付された構成を有している。
液晶パネル２５１は、一対の透明ガラス基板に電気光学物質である液晶が密閉封入された構成を有し、後述する制御基板５から出力される制御信号に応じて、画像形成領域内にある前記液晶の配向状態が制御され、入射側偏光板２５２から射出された偏光光束の偏光方向を変調する。
射出側偏光板２５３は、入射側偏光板２５２と略同様の構成であり、液晶パネル２５１の画像形成領域から射出された光束のうち、入射側偏光板２５２における光束の透過軸と直交する偏光軸を有する光束のみ透過させ、その他の光束を吸収するものである。
【００３０】
クロスダイクロイックプリズム２５４は、射出側偏光板２５３から射出された色光毎に変調された光学像を合成してカラー画像を形成する光学素子である。このクロスダイクロイックプリズム２５４は、４つの直角プリズムを貼り合わせた平面視正方形状をなし、直角プリズム同士を貼り合わせた界面には、４つの誘電体多層膜が形成されている。これら誘電体多層膜は、液晶パネル２５１Ｒ，２５１Ｂから射出され射出側偏光板２５３を介した各色光を反射し、液晶パネル２５１Ｇから射出され射出側偏光板２５３を介した緑色光を透過する。このようにして、各液晶パネル２５１Ｒ，２５１Ｇ，２５１Ｂにて変調された各色光が合成され、カラー画像が形成される。
【００３１】
投射レンズ２６は、鏡筒内に複数のレンズ、および、入射光束を偏向するミラーが収納された構成を有し、光学装置２５から射出されたカラー画像を拡大し投射するものである。この投射レンズ２６は、光学装置２５の光束射出側に配置され、後述するヘッド体に固定されている。
【００３２】
光学部品用筐体は、内部に所定の照明光軸Ａが設定され、上述した光学部品２４〜２５を照明光軸Ａに対する所定位置に配置する。
ヘッド体は、例えばアルミニウム合金またはマグネシウム合金等の金属材料から構成され、光学装置２５および投射レンズ２６を一体化するとともに、一体化した装置を光学部品用筐体に対して取付けるものである。
【００３３】
〔リアプロジェクタ１の内部構成〕
図２は、リアプロジェクタ１の内部構成を説明するためのブロック図である。
リアプロジェクタ１は、外装筐体７と、外装筐体７内部に収納された光学エンジン２、光学エンジン２を冷却する冷却手段としての冷却ファン３、温度センサ４、リアプロジェクタ１に電力を供給する電源ユニット（図示略）、および、これら各構成の駆動制御を行う制御手段としての制御基板５と、入力操作に応じた操作信号を制御基板５に出力する操作手段６とを備えている。
【００３４】
外装筐体７には、外部の空気を外装筐体７内部へ吸気するための吸気口７１、および、外装筐体７内部の空気を外部へ排気するための排気口７２が形成されている。吸気口７１には、外部の粉塵が外装筐体７内部に侵入することを防ぐために、吸気フィルタ７１１が設けられている。
冷却ファン３は、外装筐体７の吸気口７１を介して外部の空気を取り込み、この冷却空気を光学エンジン２の光源ランプ２１１に送風して冷却する。冷却ファン３は、制御基板５の制御の下、回転数を複数段階に変更する。
温度センサ４は、光源ランプ２１１を収納するランプハウジング内壁に取り付けられている。温度センサ４は、光源ランプ２１１近傍の内部温度Ｔを、温度特性を有するサーミスタの抵抗値として検出し、検出された抵抗値データを制御基板５に出力する。
【００３５】
操作手段６は、操作パネルと、複数の操作ボタンとを備えている。操作手段６は、操作ボタンの入力操作に応じて、リアプロジェクタ１の駆動を指示する操作信号を後述する制御基板５に出力する。なお操作手段６は、外装筐体７外面に備え付けてあるものでもよいし、リモートコントローラとして、無線信号によりリアプロジェクタ１を遠隔操作するものであってもよい。
【００３６】
〔制御基板５の構成〕
制御基板５は、回路基板として構成され、図２に示すように、ＣＰＵ（Central Processing Unit）５１と、ＦＲＯＭ（Flash Read Only Memory）５２と、ＲＡＭ（Random Access Memory）５３と、チューナ５４と、画像処理回路５５と、液晶パネル制御回路５６とを備えている。
【００３７】
このうち、ＦＲＯＭ５２は、ＣＰＵ５１によって処理されるプログラムや各種データが格納されている。具体的には、ＦＲＯＭ５２には、リアプロジェクタ制御プログラムや、後述する冷却制御プログラム、冷却モードテーブル５２１、選択時間ｔａおよび警告時間ｔｂ等が格納されている。
ＲＡＭ５３は、ＣＰＵ５１の作業メモリとして利用され、各種データが一時的に記憶される。
【００３８】
チューナ５４は、アンテナから入力する放送信号から、ユーザが選択したチャンネルに応じた周波数の放送信号を選択して受信し、一定周波数の信号に変換して出力する。
画像処理回路５５は、チューナ５４から入力する放送信号から画像情報と音声情報とを抽出し分離する。さらに、画像処理回路５５は、抽出した画像情報を、光学エンジン２の液晶パネル２５１の仕様に適応する画像情報に変換する。
具体的には、画像処理回路５５は、外部から入力するデジタル画像情報に対し、デコード処理、ガンマ補正処理、および、後述するＣＰＵ５１から出力される処理条件に従って、画像サイズの調整や表示画面形成等の描画処理を行う。その後、画像処理回路５５は、処理を施した画像情報を液晶パネル制御回路５６に出力する。
【００３９】
なお、チューナ５４から入力する放送信号がアナログ形式であるとき、画像処理回路５５は、当該放送信号に対し、アナログ/デジタル変換処理や同期信号分離処理等を加えて行う。
一方、抽出された音声情報は、図示を省略するが、音声処理回路を介して、リアプロジェクタ１に設けられたスピーカ（図示略）より音声出力される。
【００４０】
液晶パネル制御回路５６は、画像処理回路５５より入力する画像情報に基づいて、光学エンジン２の液晶パネル２５１に制御信号を出力して駆動する。すると、光学エンジン２では、光源ランプ２１１から出力された光束が、液晶パネル２５１によって変調され、前記画像情報に応じた光学像が形成される。
【００４１】
〔ＣＰＵ５１の機能的構成〕
図３は、ＣＰＵ５１の機能的構成を示すブロック図である。
ＣＰＵ５１は、ＣＰＵ５１に入力する入力信号を処理する入力信号取得部５１１と、冷却処理部５１２と、電源遮断部５１３と、タイマ５１０とを備えている。
このうち、入力信号取得部５１１は、例えば、操作手段６からＣＰＵ５１へ出力された操作信号を取得し、当該操作信号に応じた信号処理を行う。
電源遮断部５１３は、リアプロジェクタ１の電源遮断処理を行う。具体的には、電源遮断部５１３は、駆動データの保存および光源ランプ２１１の消灯を行い、リアプロジェクタ１の電源を遮断する。
【００４２】
冷却処理部５１２は、入力信号取得部５１１で取得された入力信号、および、ＦＲＯＭ５２に格納された冷却制御プログラムに基づいて冷却ファン３を駆動させ、光源ランプ２１１の冷却処理を実行する。冷却処理部５１２は、内部温度取得部５１２１と、内部温度判定部５１２２と、通常冷却モード処理部５１２３と、実行中冷却モード判定部５１２４と、強冷却モード処理部５１２５と、警告モード処理部５１２６とを備えている。
【００４３】
内部温度取得部５１２１は、温度センサ４から出力された抵抗値データを取得し、当該抵抗値データに相当する光源ランプ２１１近傍の内部温度Ｔを解析する。
内部温度判定部５１２２は、詳しくは後述するが、内部温度取得部５１２１で取得された内部温度Ｔに基づいて、ＦＲＯＭ５２に格納された冷却モードテーブル５２１を探索し、当該内部温度Ｔに対応する冷却モード（冷却必要なし、通常冷却モードまたは強冷却モード）を判定する。
【００４４】
通常冷却モード処理部５１２３は、内部温度判定部５１２２で通常冷却モードと判定されると、冷却ファン３に制御信号を出力して、通常冷却モードに基づく回転数ＷＡで冷却ファン３を駆動させる。この通常冷却モードの回転数ＷＡも、冷却モードテーブル５２１に設定されている。
実行中冷却モード判定部５１２４は、内部温度判定部５１２２で強冷却モードと判定されると、強冷却モード処理部５１２５により強冷却モードが実行されているか否かを判定する。
【００４５】
強冷却モード処理部５１２５は、実行中冷却モード判定部５１２４により強冷却モードが実行中でないと判定されると、ユーザに操作信号の入力を促し、入力された操作信号に基づいて強冷却モード処理を実行、または、中止する。強冷却モード処理部５１２５は、タイマ制御部５１２５Ａと、視聴継続選択画面表示部５１２５Ｂと、経過時間判定部５１２５Ｃと、強冷却実行部５１２５Ｄとを備えている。
タイマ制御部５１２５Ａは、実行中冷却モード判定部５１２４により強冷却モードが実行中でないと判定されると、タイマ５１０に制御信号を出力して、タイマ５１０に計時を開始させる。
【００４６】
視聴継続選択画面表示部５１２５Ｂは、実行中冷却モード判定部５１２４により強冷却モードが実行中でないと判定されると、画像処理回路５５に制御信号を出力し、画像処理回路５５に視聴継続選択画面を形成させる。そして、液晶パネル制御回路５６は、画像処理回路５５で形成された視聴継続選択画面に基づいて液晶パネル２５１を駆動する。すると、リアプロジェクタ１のスクリーンに視聴継続選択画面が表示される。
視聴継続選択画面は、詳しくは後述するが、ユーザに対し、リアプロジェクタ１の高温状態を告知し、さらに、視聴を続行するか否かを選択指示する選択操作信号の入力を促す画面である。
【００４７】
強冷却実行部５１２５Ｄは、入力信号取得部５１１が選択操作信号を取得したか否かを判定する。入力信号取得部５１１が選択操作信号を取得したと判定された場合、強冷却実行部５１２５Ｄは、当該選択操作信号がリアプロジェクタ１の視聴続行を指示する視聴続行信号であるか否かを判定する。
選択操作信号が視聴続行信号であると判定された場合、強冷却実行部５１２５Ｄは、冷却ファン３に制御信号を出力して、強冷却モードに基づく回転数ＷＣで冷却ファン３を駆動させる。
一方、選択操作信号が視聴続行信号でないと判定された場合、すなわち、選択操作信号が視聴中止信号である場合、強冷却実行部５１２５Ｄは、電源遮断部５１３に制御信号を出力し、リアプロジェクタ１の電源遮断処理を実行させる。
【００４８】
一方、強冷却実行部５１２５Ｄにより、入力信号取得部５１１が選択操作信号を取得していないと判定された場合、経過時間判定部５１２５Ｃは、タイマ５１０が計時している経過時間ｔを監視し、経過時間ｔが所定の選択時間ｔａを経過したか否かを判定する。
経過時間ｔが選択時間ｔａを経過したと判定された場合、経過時間判定部５１２５Ｃは、電源遮断部５１３に制御信号を出力し、リアプロジェクタ１の電源遮断処理を実行させる。
【００４９】
警告モード処理部５１２６は、実行中冷却モード判定部５１２４により強冷却モードが実行中と判定されると、ユーザにリアプロジェクタ１の高温状態を警告する。警告モード処理部５１２６は、タイマ制御部５１２６Ａと、警告画面表示部５１２６Ｂと、経過時間判定部５１２６Ｃとを備えている。
【００５０】
タイマ制御部５１２６Ａは、実行中冷却モード判定部５１２４により強冷却モードが実行中と判定されると、タイマ５１０に制御信号を出力して、タイマ５１０に計時を開始させる。
警告画面表示部５１２６Ｂは、実行中冷却モード判定部５１２４により強冷却モードが実行中と判定されると、画像処理回路５５に制御信号を出力し、画像処理回路５５に警告画面を形成させる。そして、液晶パネル制御回路５６は、画像処理回路５５で形成された視聴継続選択画面に基づいて液晶パネル２５１を駆動する。すると、リアプロジェクタ１のスクリーンに警告画面が表示される。
警告画面は、詳しくは後述するが、ユーザに対しリアプロジェクタ１の高温状態を告知する画面である。
【００５１】
経過時間判定部５１２６Ｃは、タイマ５１０が計時している経過時間ｔを監視し、経過時間ｔが所定の警告時間ｔｂを経過したか否かを判定する。経過時間ｔが警告時間ｔｂを経過したと判定された場合、経過時間判定部５１２６Ｃは、電源遮断部５１３に制御信号を出力し、リアプロジェクタ１の電源遮断処理を実行させる。
【００５２】
〔制御基板５の作用〕
次に、制御基板５の作用を説明する。
図４は、制御基板５によるリアプロジェクタ１の冷却処理を説明するためのフロー図である。
図４に示すように、ＣＰＵ５１において、冷却処理部５１２を構成する内部温度取得部５１２１は、温度センサ４から出力される抵抗値データを取得して、光源ランプ２１１近傍の内部温度Ｔを取得する（Ｓ１）。
内部温度判定部５１２２は、ＦＲＯＭ５２に格納された冷却モードテーブル５２１から強冷却基準温度ＴＣを読み出し、処理Ｓ１で取得された内部温度Ｔが強冷却基準温度ＴＣ以上であるか否かを判定する（Ｓ２）。
【００５３】
なお、図５は、冷却モードテーブル５２１を模式的に示した図である。
冷却モードテーブル５２１には、図５に示すように、内部温度Ｔの範囲に応じて、冷却なし、通常冷却モードおよび強冷却モードが設定されており、通常冷却モードおよび強冷却モードには、各モードごとに冷却ファン３の回転数ＷＡ、ＷＣが設定されている。
強冷却基準温度ＴＣとは、光源ランプ２１１近傍の内部温度Ｔが当該強冷却基準温度ＴＣ以上に上昇すると、リアプロジェクタ１の動作不具合が発生する恐れがある温度である。
なお、図５に示すように、強冷却基準温度ＴＣおよび後述する通常冷却基準温度ＴＡは、ＴＣ＞ＴＡの関係を有する。また、強冷却の冷却モードの回転数ＷＣ、および、通常冷却モードの回転数ＷＡは、ＷＣ＞ＷＡの関係を有する。
【００５４】
処理Ｓ２において内部温度Ｔが強冷却基準温度ＴＣ以上でないと判定されると、内部温度判定部５１２２は、冷却モードテーブル５２１から通常冷却基準温度ＴＡを読み出し、処理Ｓ１で取得された内部温度Ｔが通常冷却基準温度ＴＡ以上であるか否かを判定する（Ｓ３）。
内部温度Ｔが通常冷却基準温度ＴＡ以上ではないと判定されると、処理Ｓ１に戻り、内部温度取得部５１２１は、再び抵抗値データを取得し、当該抵抗値データから内部温度Ｔを取得する。
一方、内部温度Ｔが通常冷却基準温度ＴＡ以上であると判定されると、通常冷却モード処理部５１２３は、冷却モードテーブル５２１から、ＴＡ≦Ｔ＜ＴＣに対応する通常冷却モードの回転数ＷＡを読み出し、冷却ファン３を回転数ＷＡで駆動させる（Ｓ４）。その後、処理Ｓ１に戻り、内部温度取得部５１２１は、再び抵抗値データを取得し、当該抵抗値データから内部温度Ｔを取得する。
【００５５】
一方、処理Ｓ２において内部温度Ｔが強冷却基準温度ＴＣ以上であると判定されると、実行中冷却モード判定部５１２４は、強冷却モード処理部５１２５により強冷却モードが実行中であるか否かを判定する（Ｓ５）。
強冷却モードが実行中でないと判定されると、強冷却モード処理部５１２５を構成するタイマ制御部５１２５Ａは、タイマ５１０に経過時間ｔの計時を開始させる（Ｓ６）。
そして、視聴継続選択画面表示部５１２５Ｂは、画像処理回路５５に視聴継続選択画面を形成させる。すると、液晶パネル制御回路５６は、液晶パネル２５１を駆動して、リアプロジェクタ１のスクリーンに視聴継続選択画面８を表示する（Ｓ７）。
【００５６】
図６は、スクリーンに表示された視聴継続選択画面８の模式図である。
視聴継続選択画面８は、図６に示すように、リアプロジェクタ１の高温状態および吸気フィルタ７１１の要点検をユーザに告知するメッセージを表示している。さらに、視聴継続選択画面８は、図６に示すように、『このまま視聴しますか？』のメッセージ、および、『はい：ファンの音が大きくなります。』、『いいえ：電源を切ります。』の選択肢を表示し、リアプロジェクタ１の視聴を続行するか否かの選択をユーザに促す。
【００５７】
強冷却実行部５１２５Ｄは、入力信号取得部５１１が選択操作信号を取得したか否かを判定する（Ｓ８）。選択操作信号は、ユーザが、操作手段６の入力操作により視聴継続選択画面８上のカーソルＣを移動させて、選択肢『はい』または『いいえ』を選択した場合に操作手段６から出力される。
入力信号取得部５１１が選択操作信号を取得したと判定されると、強冷却実行部５１２５Ｄは、当該選択操作信号が視聴続行信号であるか否かを判定する（Ｓ９）。視聴続行信号は、ユーザが視聴継続選択画面８上で選択肢『はい』を選択した場合に、操作手段６から出力される。
【００５８】
処理Ｓ８で取得された選択操作信号が視聴続行信号であると判定された場合、強冷却実行部５１２５Ｄは、冷却モードテーブル５２１（図５）から、Ｔ≧ＴＣに対応する強冷却モードの回転数ＷＣを読み出し、冷却ファン３を回転数ＷＣで駆動させる（Ｓ１０）。その後、処理Ｓ１に戻り、内部温度取得部５１２１は、再び抵抗値データを取得し、当該抵抗値データから内部温度Ｔを取得する。
【００５９】
一方、処理Ｓ８で取得された選択操作信号が視聴続行信号でないと判定された場合、電源遮断部５１３は、リアプロジェクタ１の電源遮断処理を実行する（Ｓ１５）。選択操作信号が視聴続行信号でない場合、選択操作信号は、ユーザが視聴継続選択画面８上で選択肢『いいえ』を選択した場合に操作手段６から出力される視聴中止信号である。
【００６０】
一方、経過時間判定部５１２５Ｃは、タイマ５１０で計時されている経過時間ｔを監視しており、処理Ｓ８において入力信号取得部５１１が選択操作信号を取得していないと判定された場合、ＦＲＯＭ５２から選択時間ｔａを読み出し、経過時間ｔ≧選択時間ｔａであるか否かを判定する（Ｓ１１）。
経過時間ｔ≧選択時間ｔａであると判定されない場合、処理Ｓ８に戻り、強冷却実行部５１２５Ｄは、入力信号取得部５１１が取得する入力信号を監視する。
一方、経過時間ｔ≧選択時間ｔａであると判定された場合、電源遮断部５１３は、リアプロジェクタ１の電源遮断処理を実行する（Ｓ１５）。
【００６１】
処理Ｓ５において、実行中冷却モード判定部５１２４により強冷却モードが実行中であると判定された場合、警告モード処理部５１２６を構成するタイマ制御部５１２６Ａは、タイマ５１０に経過時間ｔの計時を開始させる（Ｓ１２）。
そして、警告画面表示部５１２６Ｂは、画像処理回路５５に警告画面を形成させる。すると、液晶パネル制御回路５６は、液晶パネル２５１を駆動して、リアプロジェクタ１のスクリーンに警告画面９を表示する（Ｓ１３）。
【００６２】
図７は、スクリーンに表示された警告画面９を模式的に示す図である。
警告画面９は、図７に示すように、リアプロジェクタ１の高温状態および吸気フィルタ７１１の要点検をユーザに告知するメッセージを表示している。
【００６３】
経過時間判定部５１２６Ｃは、ＦＲＯＭ５２から警告時間ｔｂを読み出し、さらに、タイマ５１０で計時されている経過時間ｔを監視して、経過時間ｔ≧警告時間ｔｂであるか否かを判定する（Ｓ１４）。経過時間ｔ≧警告時間ｔｂでないと判定された場合、経過時間判定部５１２６Ｃは、経過時間ｔの監視を続行する。
一方、経過時間ｔ≧警告時間ｔｂであると判定された場合、電源遮断部５１３は、リアプロジェクタ１の電源遮断処理を実行する（Ｓ１５）。
【００６４】
本実施形態によれば、吸気フィルタ７１１の目詰まり等によって、光源ランプ２１１近傍の内部温度Ｔが上昇し、これを内部温度判定部５１２２が、内部温度Ｔ≧強冷却基準温度ＴＣと判定すると、視聴継続選択画面表示部５１２５Ｂが視聴継続選択画面８を表示し、視聴を続行するか否かの選択をユーザに促す。すなわち、外装筐体７内が高温状態になっても、リアプロジェクタ１の電源を強制的に遮断せず、視聴を続行するか、電源を遮断するかの判断をユーザに委ねることができる。従って、ユーザが視聴したい番組を見逃してしまうことはない。
さらに、ユーザが視聴続行を選択した場合、強冷却モード実行部５１２５Ｄが冷却ファン３を強冷却モードで駆動させるため、冷却ファン３の冷却能力が一時的に増強される。従って、ユーザが番組を視聴し終えるまでの間、強冷却モードで駆動する冷却ファン３によって、内部温度Ｔがこれ以上上昇することを極力抑制することができる。
【００６５】
ここで、一度、内部温度判定部５１２２により、内部温度Ｔ≧強冷却基準温度ＴＣと判定され、さらに、視聴継続選択画面８上で視聴の続行が選択されたことで、強冷却モード実行部５１２５Ｄが冷却ファン３を強冷却モードで駆動させている場合を考える。
このとき、再度、内部温度判定部５１２２により、内部温度Ｔ≧強冷却基準温度ＴＣと判定されると、本実施形態によれば、実行中冷却モード判定部５１２４が強冷却モードを実行中であるか否かを判定する。そして、実行中冷却モード判定部５１２４により強冷却モードを実行中であると判定されると、電源遮断部５１３がリアプロジェクタ１の電源を遮断する。
すなわち、冷却ファン３が強冷却モードで駆動している状態で内部温度Ｔが上昇し高温状態となった場合は、視聴の続行をユーザに確認せずに電源を遮断する。従って、最大冷却能力で冷却しても内部温度Ｔの上昇を抑制できない場合、速やかに電源を遮断することで、外装筐体７内の高温状態によって、リアプロジェクタ１の動作不具合を防止することができる。
【００６６】
〔前記実施形態の変形〕
本発明を実施するための最良の構成などは、以上の記載で開示されているが、本発明はこれに限定されるものではない。すなわち、前記実施形態は、本発明を限定するものではないから、それらの形状、材質などの限定の一部若しくは全部の限定を外した部材の名称での記載は、本発明に含まれるものである。
【００６７】
前記実施形態では、冷却手段として、冷却空気を送風して冷却対象を冷却する冷却ファン３を採用したが、本発明ではこれに限らず、例えば冷却液体で冷却対象を冷却する構成を採用してもよい。この場合、冷却手段は、冷却液体が流通するパイプや当該パイプ中の冷却液体に動力を与えるポンプ等を備え、冷却処理部５１２は、冷却モードに応じてポンプの回転数を調節すればよい。
前記実施形態では、冷却手段としての冷却ファン３を１つ設けたが、冷却ファン３の数は限定されない。
また、前記実施形態では、内部温度Ｔの測定対象および冷却ファン３の冷却対象は、光源ランプ２１１であるとしたが、本発明では、リアプロジェクタ１の駆動により熱を発生する液晶パネル２５１、および、電源ユニットを、内部温度Ｔの測定対象および冷却ファン３の冷却対象としてもよい。
【００６８】
前記実施形態では、視聴継続選択画面８（図６）および警告画面９（図７）は、各図に示すように、スクリーン上に表示されているテレビ画面の一部に重畳して表示されるものとした。しかしながら、本発明では、視聴継続選択画面８および警告画面９は、スクリーン全体に表示されるものであってもよく、また、テレビ画面のサイズを圧縮することでスクリーンの端部に確保されたスペースに表示されるものであってもよい。
【００６９】
本発明では、通常冷却モード処理部５１２３により実行される通常冷却モード処理は、複数段階の冷却モードを有するものであってもよい。具体的には、通常冷却モードは、通常冷却基準温度ＴＡ≦内部温度Ｔ＜強冷却基準温度ＴＣの範囲内において、内部温度Ｔに応じて通常冷却Ａモード、通常冷却Ｂモード・・・と複数の冷却モードを備え、各冷却モードに応じて冷却ファン３の回転数を細かく調節するようにしてもよい。
このような構成によれば、内部温度Ｔの細かな変動に応じて冷却制御を行うことができる。
【００７０】
前記実施形態では、光学エンジン２が平面視略Ｌ字形状を有した構成を説明したが、これに限らず、例えば、平面視略Ｕ字形状を有した構成を採用してもよい。
また、前記実施形態では、光束入射面と光束射出面とが異なる透過型の液晶パネル２５１を用いていたが、光入射面と光射出面とが同一となる反射型の液晶パネルを用いてもよい。
さらに、前記実施形態のリアプロジェクタ１では、３つの液晶パネル２５１Ｒ，２５１Ｇ，２５１Ｂを用いたが、本発明はこれに限らない。すなわち２つ、あるいは、４つ以上の液晶パネルを用いたプロジェクタにも、本発明を適用可能である。
【００７１】
前記実施形態では、液晶パネル２５１を備えたリアプロジェクタ１を例示したが、入射光束を画像情報に応じて変調して光学像を形成する光変調装置であれば、他の構成の光変調装置を採用してもよい。例えば、マイクロミラーを用いたデバイスなど、液晶層以外の光変調装置を用いたプロジェクタに対して、本発明を適用することも可能である。このような光変調装置を用いた場合、光束入射側および光束射出側の偏光板２５２，２５３は、省略することができる。
前記実施形態では、光源ランプ２１１として高圧水銀ランプを採用しているが、本発明では、メタルハライドランプ、ハロゲンランプ、ＬＥＤ（Light Emitting Diode）、レーザ光源等を採用することもできる。
【００７２】
前記実施形態では、表示画像装置としてリアプロジェクタ１を例示したが、フロントプロジェクタ、プラズマディスプレイ、液晶ディスプレイ、ＣＲＴ（Cathode Ray Tube）ディスプレイ、および、モニタ付プリンタ等を採用してもよい。
【産業上の利用可能性】
【００７３】
本発明は、画像表示装置、画像表示装置の冷却制御方法、冷却制御プログラム、および、記録媒体に利用することができる。
【図面の簡単な説明】
【００７４】
【図１】本発明の一実施形態に係る光学エンジンの光学系を示す模式平面図。
【図２】前記実施形態に係るリアプロジェクタの内部構成を示すブロック図。
【図３】前記実施形態に係るＣＰＵの機能的構成を示すブロック図。
【図４】前記実施形態に係る制御基板の作用を説明するためのフロー図。
【図５】前記実施形態に係る冷却モードテーブルを説明するための模式図。
【図６】前記実施形態に係る視聴継続選択画面を示す模式図。
【図７】前記実施形態に係る警告画面を示す模式図。
【符号の説明】
【００７５】
１…リアプロジェクタ（画像表示装置）、２…光学エンジン（画像表示手段）、３…冷却ファン（冷却手段）、５…制御基板（制御手段）、５１２１…内部温度取得部、５１２２…内部温度判定部、５１２４…実行中冷却モード判定部、５１２５…強冷却モード処理部、５１２５Ｂ…視聴継続選択画面表示部、５１２５Ｄ…強冷却実行部、５１３…電源遮断部、７…外装筐体、８…視聴継続選択画面、Ｔ…内部温度、ＴＣ…強冷却基準温度。
【図１】
2007304471.tif 000003
【図２】
2007304471.tif 000004
【図３】
2007304471.tif 000005
【図４】
2007304471.tif 000006
【図５】
2007304471.tif 000007
【図６】
2007304471.tif 000008
【図７】
2007304471.tif 000009